(57)【要約】      （修正有）【課題】複数のメガネ等を収納でき、出し入れが素早く簡単なメガネケース付きバッグを提供する。【解決手段】バッグ本体１の外側の正面に剛性材料で作った大きさが異なるメガネケース機能ポケット３を縦長に３個設けた。【選択図】図１
0003207246.tif 000002
【実用新案登録請求の範囲】
【請求項１】
バッグ本体の外側の正面に剛性材料で作った大きさが異なるメガネケース機能ポケットを縦長に３個設けたメガネケース付きバッグ。
【考案の詳細な説明】
【技術分野】
【０００１】  この考案は、複数のメガネ等を収納できるメガネケースを設けたメガネケース付きバッグに関するものである。
【背景技術】
【０００２】  従来、一つのメガネケースに一つのメガネが収納されるため、サングラス、近眼用遠視用メガネ、老眼用メガネ等、複数のメガネを使用する人にとって、バッグの中でその時に必要なメガネが入ったメガネケースを探すのが困難である。
特許文献１は、眼鏡を簡単に持ち運ぶことができ、しかも、眼鏡の取り出しも素早く行えるとあるが、眼鏡ケースの役割を為す部分がバッグ本体のボトム部にあたり、上蓋状の中仕切りを回動自在にヒンジ連結して眼鏡収容部のサブ収容部を開閉可能としているため、バッグを机の上、膝の上などに置く、もしくは眼鏡収納部の底を手で抑えなければ、眼鏡がバッグから落ち、傷つく可能性が高い。
ゆえに、簡単に出し入れが出来るとあるが、片手では操作できず、バッグも机の上、膝の上に置かなければ、眼鏡の出し入れができず、眼鏡の出し入れが簡単とは言えない。
この考案は立っている時にでも片手で簡単に眼鏡の出し入れができるバッグとなっている。
特許文献２は、複数の眼鏡等を収納することができる眼鏡ケースに関するものであるが、あくまでも複数の眼鏡を管理するものであり、人は出かける時に眼鏡だけを持ち歩くわけではなく、その他の物を入れるバッグが別途必要となる。
この考案は、眼鏡ケースとバッグが一体となっているため、眼鏡ケースとバッグの二つを持つ手間を解消している。
さらに、眼鏡ケース内側に眼鏡が傷つかないためのクッション材が施されていないため、持ち運びの際の衝撃が眼鏡を傷つける恐れがあるが、この考案では、眼鏡収納部内側にクッション材が施されるため、眼鏡が傷つかないように考慮されている。
特許文献３は、眼鏡ケース付きの鞄袋物とあるが、眼鏡が一つしか収納できず、この考案は、サングラス、近眼用遠視用メガネ、老眼用メガネ等、眼鏡が複数収納できるバッグとなっている。
また、形状はウエストポーチと限らず、本考案は、長短２本のストラップが付いていることにより、使用者の好みにより、ショルダーバッグ、ウエストポーチ、斜め掛けという三通りの持ち方が選べ、また本体背面にキャリーバー通しも付いておりキャリーオンバッグとして、日常に旅行にと幅広いシーンに使えるメガネケース付きバッグである。
特許文献４は、複数の眼鏡等を収納することができる眼鏡ケースに関するものであるが、あくまでも複数の眼鏡を管理するものであり、人は出かける時に眼鏡だけを持ち歩くわけではなく、その他の物を入れるバッグが別途必要となる。
この考案は、眼鏡ケースとバッグが一体となっているため、眼鏡ケースとバッグの二つを持つ手間を解消している。
また、形状はウエストポーチ、ショルダーバッグ、または、キャリーオンバッグとは限らず、本考案は、長短２本のストラップ、キャリーバー通しが付いていることにより、使用者の好みにより、ショルダーバッグ、ウエストポーチ、斜め掛け、キャリーオンバッグという四通りの持ち方が選べる日常に旅行にと幅広いシーンに使えるメガネケース付きバッグである。
【先行技術文献】
【０００３】
【特許文献１】  実用新案登録３１６４８２５号公報
【特許文献２】  特開平１１−４６８３３号公報
【特許文献３】  特開２００６−３２６２３８号公報
【特許文献４】  実用平２−４４２０号公報
【考案の概要】
【考案が解決しようとする課題】
【０００４】  これは次のような欠点があった。
（イ）外出している時に、サングラス、近眼用のメガネ、老眼用メガネと状況によってメ    ガネをかけ直す際、メガネケースが似ているので、その時に使いたいメガネの出し入    れに手間が掛かり困ることが多かった。
（ロ）特に、急いでいる時など、メガネを外し、メガネケースに入れずにバッグに入れて    メガネを壊したことがあった。
本考案は、以上のような欠点をなくすためのものである。
【課題を解決するための手段】
【０００５】  バッグ本体の外側の正面に剛性材料で作った大きさが異なるメガネケース機能ポケットを縦長に３個設ける。
本考案は、以上の構成よりなるメガネケース付きバッグである。
【考案の効果】
【０００６】（イ）メガネを収納することができるメガネケース機能ポケットがバッグに付いているこ    とにより、メガネの出し入れが素早く簡単となる。
（ロ）メガネ型ポケットはメガネを保護するため、メガネケースを使わず、バッグをメガ    ネの携帯手段としても利用することが可能である。
（ハ）長短二本のストラップ付でショルダーバック、ウエストポーチ、斜め掛け、また、    キャリー通しによってキャリーオンバッグという四通りの持ち方が選べる日常に旅行    にと幅広いシーンに使える。
【図面の簡単な説明】
【０００７】
【図１】  本考案の雨蓋を開けた状態を示した斜視図である。
【図２】  本考案の内部を示した説明図である。
【図３】  本考案の斜視図である。
【図４】  本考案の背面部である。
【図５】  本考案の側面図である。
【図６】  本考案の底面から見た斜視図である。
【図７】  本考案をキャリーバッグの上にのせた背面図である。
【考案を実施するための形態】
【０００８】  以下、本考案の実施の形態を説明する。
（イ）バッグ本体（１）に剛性材料で作ったメガネケース機能ポケット（３）を設ける。
（ロ）バッグ本体（１）にはメガネケース機能ポケット（３）の他に多目的ポケット（４    ）、および多目的ファスナー付ポケット（６）、防水機能付きペットボトルポケット    （７）を設ける。
（ハ）付け替え可能なショルダー・斜め掛け用ストラップ（８）およびウエストポーチ用    ストラップ（１０）を付随することによって、バッグのスタイルを選ぶことを可能に    する。また、バッグの裏面にキャリーバッグの上に置けることを可能にするためのキ    ャリーバー通し（１４）を付ける。
（ニ）メガネケース機能ポケット（３）内側にクッション材料を施し、眼鏡を傷つけるこ    となく収納することを可能とする。
（ホ）メガネがメガネケース機能ポケット（３）から外に出ないようにするため、雨蓋（    ２）を有するバッグとする場合、雨蓋（２）の表にフリンジ用留め金（１３）、およ    び、フリンジ（１２）を付ける。
また、メガネケース機能ポケット（３）の下部にマグネット凹部（５ｂ）を取り付け、バック雨蓋（２）内側にマグネット凸部（５ａ）を取り付ける。
【符号の説明】
【０００９】１    バッグ本体
２    雨蓋
３    メガネケース機能ポケット
４    多目的ポケット
５ａ  マグネット凸部
５ｂ  マグネット凹部
６    多目的ファスナー付ポケット
７    防水機能付きペットボトルポケット
８    ショルダー・斜め掛け用ストラップ
９    ショルダー用ストラップ留め金
１０  ウエストポーチ用ストラップ
１１  ウエストポーチ用ストラップ留め金
１２  フリンジ
１３  フリンジ用留め金
１４  キャリーバー通し
【図１】
0003207246.tif 000003
【図２】
0003207246.tif 000004
【図３】
0003207246.tif 000005
【図４】
0003207246.tif 000006
【図５】
0003207246.tif 000007
【図６】
0003207246.tif 000008
【図７】
0003207246.tif 000009